(57)【要約】【課題】ユーザーによるページの指定操作の手間を軽減しつつ、原稿の表裏両方のページを指定可能な画像処理装置、及び画像処理方法を提供すること。【解決手段】画像処理装置は、原稿載置部に載置されて順次搬送される複数枚の原稿各々の両面から画像データを読み取り（ステップＳ３１）、読み取られた原稿の両面各々の画像データに基づいて、前記原稿が予め定められた特徴を有するか否かを判断し（ステップＳ３２）、前記特徴を有する原稿の連続搬送枚数に応じて前記特徴を有する原稿の前又は後に搬送される原稿の表面及び裏面のいずれか一方の面の画像データを基準データとして設定し（ステップＳ３３）、出力される複数枚の原稿の面ごとの画像データ各々を読取順における前記基準データの前後いずれかで区分して（ステップＳ４０）、複数枚の原稿の面ごとの画像データを読取順に従って表面及び裏面の順に出力する（ステップＳ４１）。【選択図】図７
2016189552.tif 000002
【特許請求の範囲】
【請求項１】
原稿載置部に載置される複数枚の原稿各々を順次搬送する原稿搬送部と、
前記原稿搬送部により搬送される前記原稿の両面各々から画像データを読み取る画像読取部と、
前記画像読取部によって読み取られた前記原稿の両面各々の画像データに基づいて、前記原稿が予め定められた特徴を有するか否かを判断する判断処理部と、
前記判断処理部により前記特徴を有すると判断された前記原稿の連続搬送枚数、サイズ、及び色のいずれかに応じて前記特徴を有する前記原稿の前又は後に前記原稿搬送部により搬送される前記原稿の表面及び裏面のいずれか一方の面の画像データを基準データとして設定する設定処理部と、
前記画像読取部により読み取られる複数枚の前記原稿各々の両面の画像データを前記画像読取部による読取順に従って表面及び裏面の順に出力する出力処理部と、
前記出力処理部により出力される複数枚の前記原稿の面ごとの画像データ各々を前記出力処理部による出力順における前記基準データの前後いずれかで区分する区分処理部と、
を備える画像処理装置。
【請求項２】
前記特徴は、前記原稿の両面が無地であることを含む請求項１に記載の画像処理装置。
【請求項３】
前記出力処理部は、前記特徴を有する前記原稿の両面各々の画像データを除外して複数枚の前記原稿の面ごとの画像データ各々を出力する請求項１又は２に記載の画像処理装置。
【請求項４】
前記基準データに基づく画像を表示部に表示させて前記基準データの設定変更操作を受け付ける操作受付部と、
前記設定変更操作に応じて前記基準データを変更する変更処理部と、
を更に備える請求項１〜３のいずれかに記載の画像処理装置。
【請求項５】
前記操作受付部は、前記基準データに基づく画像を前記表示部に表示させると共に、前記基準データに基づく画像を画像形成装置に印刷させる請求項４に記載の画像処理装置。
【請求項６】
シート載置部に載置される複数枚のシート各々を順次搬送するシート搬送部と、
前記シート搬送部により搬送される前記シートの両面各々に画像を形成する画像形成部と、を更に備え、
前記出力処理部は、前記画像形成部を用いて複数枚の前記原稿の面ごとの画像データ各々を前記読取順に従い、かつ前記原稿の表面の画像データを前記シートの第１面に、前記原稿の裏面の画像データを前記シートの第２面に、各々印刷して出力し、
前記区分処理部は、前記出力処理部による前記基準データの印刷面が前記シートの前記第２面である場合に、前記基準データの印刷面を次の前記シートの前記第１面に設定する第１処理を実行する請求項１〜５のいずれかに記載の画像処理装置。
【請求項７】
複数の前記シート載置部を備え、
前記区分処理部は、前記特徴を有すると判断された前記原稿の連続搬送枚数、サイズ、及び色のいずれか又は複数の組み合わせに応じて、前記出力処理部により前記基準データが印刷される前記シートと前記基準データの前後いずれかの画像データが印刷される前記シートとの間に予め設定された前記シート載置部から搬送される前記シートを挿入する第２処理、及び前記基準データが印刷される前記シートを予め設定された前記シート載置部から搬送される前記シートに設定する第３処理のいずれか一方又は両方を前記第１処理と共に実行する請求項６に記載の画像処理装置。
【請求項８】
原稿載置部に載置される複数枚の原稿各々を順次搬送する第１ステップと、
前記第１ステップにより搬送される前記原稿の両面各々から画像データを読み取る第２ステップと、
前記第２ステップによって読み取られた前記原稿の両面各々の画像データに基づいて、前記原稿が予め定められた特徴を有するか否かを判断する第３ステップと、
前記第３ステップにより前記特徴を有すると判断された前記原稿の連続搬送枚数、サイズ、及び色のいずれかに応じて前記特徴を有する前記原稿の前又は後に前記第１ステップにより搬送される前記原稿の表面及び裏面のいずれか一方の面の画像データを基準データとして設定する第４ステップと、
前記第２ステップにより読み取られる複数枚の前記原稿各々の両面の画像データを前記第２ステップによる読取順に従って表面及び裏面の順に出力する第５ステップと、
前記第５ステップにより出力される複数枚の前記原稿の面ごとの画像データ各々を前記第５ステップによる出力順における前記基準データの前後いずれかで区分する第６ステップと、
を含む画像処理方法。
【発明の詳細な説明】
【技術分野】
【０００１】
本発明は、画像処理装置、及び画像処理方法に関する。
【背景技術】
【０００２】
コピー機のような画像処理装置では、複数枚の原稿のページ各々をシートに印刷することが可能である。具体的に、この種の画像処理装置では、ＡＤＦと呼ばれる自動原稿搬送装置により複数枚の原稿各々が順次搬送される。ＡＤＦにより搬送される原稿からは、画像データが読み取られる。そして、読み取られた原稿の画像データがシートに印刷される。
【０００３】
ところで、ユーザーにより指定されたページで複数枚の原稿のページ各々を区分して印刷することが可能な画像処理装置が知られている。例えば、この種の画像処理装置では、ユーザーにより指定されたページの前で、色や形状が通常のシートと異なる合紙（インターシート）が挿入されて複数枚の原稿のページ各々が印刷される。これにより、ユーザーは、例えば文書原稿に含まれる章各々を区分して印刷することが可能である。ここで、複数枚の原稿の中に挿入された白紙原稿を検出して、前記白紙原稿の次のページで複数枚の原稿のページ各々を区分して出力可能な関連技術が知られている（特許文献１参照）。前記関連技術によれば、操作部においてページの指定操作が行われる構成と比較して、ユーザーによるページの指定操作の手間が軽減される。
【先行技術文献】
【特許文献】
【０００４】
【特許文献１】特開２００５−１４１４２５号公報
【発明の概要】
【発明が解決しようとする課題】
【０００５】
しかしながら、前記関連技術では、複数枚の原稿の両面から画像データが読み取られる場合に前記原稿の表裏いずれか一方のページしか指定することができない。
【０００６】
本発明の目的は、ユーザーによるページの指定操作の手間を軽減しつつ、原稿の表裏両方のページを指定可能な画像処理装置、及び画像処理方法を提供することにある。
【課題を解決するための手段】
【０００７】
本発明の一の局面に係る画像処理装置は、原稿搬送部と、画像読取部と、判断処理部と、設定処理部と、出力処理部と、区分処理部とを備える。前記原稿搬送部は、原稿載置部に載置される複数枚の原稿各々を順次搬送する。前記画像読取部は、前記原稿搬送部により搬送される前記原稿の両面各々から画像データを読み取る。前記判断処理部は、前記画像読取部によって読み取られた前記原稿の両面各々の画像データに基づいて、前記原稿が予め定められた特徴を有するか否かを判断する。前記設定処理部は、前記判断処理部により前記特徴を有すると判断された前記原稿の連続搬送枚数、サイズ、及び色のいずれかに応じて前記特徴を有する前記原稿の前又は後に前記原稿搬送部により搬送される前記原稿の表面及び裏面のいずれか一方の面の画像データを基準データとして設定する。前記出力処理部は、前記画像読取部により読み取られる複数枚の前記原稿各々の両面の画像データを前記画像読取部による読取順に従って表面及び裏面の順に出力する。前記区分処理部は、前記出力処理部により出力される複数枚の前記原稿の面ごとの画像データ各々を前記出力処理部による出力順における前記基準データの前後いずれかで区分する。
【０００８】
本発明の他の局面に係る画像処理方法は、以下の第１ステップ、第２ステップ、第３ステップ、第４ステップ、第５ステップ、及び第６ステップを含む。前記第１ステップは、原稿載置部に載置される複数枚の原稿各々を順次搬送する。前記第２ステップは、前記第１ステップにより搬送される前記原稿の両面各々から画像データを読み取る。前記第３ステップは、前記第２ステップによって読み取られた前記原稿の両面各々の画像データに基づいて、前記原稿が予め定められた特徴を有するか否かを判断する。前記第４ステップは、前記第３ステップにより前記特徴を有すると判断された前記原稿の連続搬送枚数、サイズ、及び色のいずれかに応じて前記特徴を有する前記原稿の前又は後に前記第１ステップにより搬送される前記原稿の表面及び裏面のいずれか一方の面の画像データを基準データとして設定する。前記第５ステップは、前記第２ステップにより読み取られる複数枚の前記原稿各々の両面の画像データを前記第２ステップによる読取順に従って表面及び裏面の順に出力する。前記第６ステップは、前記第５ステップにより出力される複数枚の前記原稿の面ごとの画像データ各々を前記第５ステップによる出力順における前記基準データの前後いずれかで区分する。
【発明の効果】
【０００９】
本発明によれば、ユーザーによるページの指定操作の手間を軽減しつつ、原稿の表裏両方のページを指定することが可能である。
【図面の簡単な説明】
【００１０】
【図１】図１は、本発明の第１実施形態に係る画像処理装置の構成を示す図である。
【図２】図２は、本発明の第１実施形態に係る画像処理装置のＡＤＦ、第１画像読取部、及び第２画像読取部の構成を示す図である。
【図３】図３は、本発明の第１実施形態に係る画像処理装置のシステム構成を示すブロック図である。
【図４】図４は、本発明の第１実施形態に係る画像処理装置で読み取られる原稿の一例を示す図である。
【図５】図５は、本発明の第１実施形態に係る画像処理装置で実行される第１出力処理の一例を示すフローチャートである。
【図６】図６は、本発明の第２実施形態に係る画像処理装置のシステム構成を示すブロック図である。
【図７】図７は、本発明の第２実施形態に係る画像処理装置で実行される第２出力処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［第１実施形態］
まず、図１〜図３を参照しつつ、本発明の第１実施形態に係る画像処理装置１０の概略構成について説明する。ここで、図１は画像処理装置１０の構成を示す断面模式図である。また、図２は図１におけるＩＩ−ＩＩ矢視断面図である。
【００１３】
図１〜図３に示すように、画像処理装置１０は、ＡＤＦ１、第１画像読取部２、第２画像読取部３、画像形成部４、シート搬送部５、制御部６、操作表示部７、及び記憶部８を備える。画像処理装置１０は、原稿Ｐから画像データを読み取るスキャン機能、及び画像データに基づいて画像を形成するプリント機能と共に、ファクシミリ機能、又はコピー機能などの複数の機能を有する複合機である。また、本発明は、スキャナー装置、ファクシミリ装置、及びコピー機などの画像処理装置に適用可能である。
【００１４】
ＡＤＦ１は、図２に示す原稿載置部１１に載置される複数枚の原稿Ｐ各々を順次搬送する。ここに、ＡＤＦ１が、本発明における原稿搬送部の一例である。
【００１５】
具体的に、ＡＤＦ１は、図２に示すように、原稿載置部１１、搬送路１２、原稿押さえ１３、及び排紙部１４を備える。原稿載置部１１には、第１画像読取部２及び第２画像読取部３により画像データが読み取られる原稿Ｐが載置される。搬送路１２は、ＡＤＦ１の筐体内に設けられた一対の搬送ガイド部材により形成されており、原稿載置部１１と排紙部１４とを接続している。搬送路１２には、複数の搬送ローラーが設けられる。ＡＤＦ１では、不図示のモーターから伝達される駆動力で複数の前記搬送ローラーが回転することで、原稿載置部１１に載置される原稿Ｐが搬送方向１１Ａに沿って排紙部１４まで搬送される。原稿押さえ１３は、搬送路１２において搬送路１２を搬送される原稿Ｐの表面がＡＤＦ１の筐体外部に露出する露出部に配置され、前記露出部において前記搬送ローラーにより搬送される原稿Ｐの表面を後述する第１画像読取部２のコンタクトガラス２１に向けて押さえつける。
【００１６】
第１画像読取部２は、ＡＤＦ１の原稿載置部１１に載置される原稿Ｐの表面の画像データ、及び図２に示すコンタクトガラス２１に載置される原稿Ｐの画像データを読み取る。
【００１７】
具体的に、第１画像読取部２は、図２に示すように、コンタクトガラス２１、読取ユニット２２、ミラー２３、ミラー２４、光学レンズ２５、及び第１撮像素子２６を備える。コンタクトガラス２１には、第１画像読取部２により読み取られる原稿Ｐが載置される。読取ユニット２２は、コンタクトガラス２１に載置される原稿Ｐ又はＡＤＦ１により搬送される原稿Ｐに光を照射して、原稿Ｐで反射された光をミラー２３に導く。具体的に、読取ユニット２２は、図２に示す副走査方向２２Ａに沿って移動可能に設けられ、副走査方向２２Ａに直交する主走査方向に沿って配列された多数の光源及び原稿Ｐで反射された光をミラー２３へと導くミラーを備える。ミラー２３、及びミラー２４は、原稿Ｐで反射された光を光学レンズ２５へと導く。光学レンズ２５は、入射した光を集光して第１撮像素子２６に入射させる。
【００１８】
第１画像読取部２では、コンタクトガラス２１に載置されている原稿Ｐから画像が読み取られる場合、読取ユニット２２が副走査方向２２Ａに沿って移動されると共に、読取ユニット２２からコンタクトガラス２１に向けて光が照射される。これにより、コンタクトガラス２１に載置された原稿Ｐからの反射光が第１撮像素子２６に入射される。
【００１９】
また、第１画像読取部２では、ＡＤＦ１により搬送される原稿Ｐの表面から画像データが読み取られる場合、読取ユニット２２がＡＤＦ１の前記露出部に光を照射可能な位置まで移動され、前記位置において読取ユニット２２から前記露出部に向けて光が照射される。これにより、ＡＤＦ１によって搬送される原稿Ｐからの反射光が第１撮像素子２６に入射される。
【００２０】
第１撮像素子２６は、光学レンズ２５から入射される光の受光量に応じた電気信号を出力する。第１画像読取部２は、第１撮像素子２６から出力される前記電気信号を不図示のアナログフロントエンド回路でデジタル信号に変換して画像データを取得する。第１画像読取部２により取得された画像データは制御部６に入力される。
【００２１】
第２画像読取部３は、ＡＤＦ１の原稿載置部１１に載置される原稿Ｐの裏面の画像データを読み取る。ここに、第１画像読取部２及び第２画像読取部３が、本発明における画像読取部の一例である。
【００２２】
具体的に、第２画像読取部３は、図２に示すように、ＡＤＦ１による原稿Ｐの搬送路１２上において搬送路１２を搬送される原稿Ｐの裏面に対向して配置された第２撮像素子３１を備える。第２撮像素子３１は、発光部及び受光部を備えるＣＩＳなどのイメージセンサーである。前記発光部は、ＡＤＦ１により搬送される原稿Ｐの裏面に光を照射する。前記受光部は、前記発光部から出射されて原稿Ｐの裏面で反射された光を受光して受光量に応じた電気信号を出力する。第２画像読取部３は、第２撮像素子３１の前記受光部から出力される前記電気信号を不図示のアナログフロントエンド回路でデジタル信号に変換して画像データを取得する。第２画像読取部３により取得された画像データは制御部６に入力される。
【００２３】
画像形成部４は、第１画像読取部２又は第２画像読取部３で読み取られた画像データに基づいて、電子写真方式でカラー又はモノクロの画像を形成する画像形成処理（印刷処理）を実行可能である。また、画像形成部４は、外部のパーソナルコンピューター等の情報処理装置から入力された画像データに基づいて前記印刷処理を実行することも可能である。
【００２４】
具体的に、画像形成部４は、図１に示すように、複数の画像形成ユニット４１〜４４、光走査装置４５、中間転写ベルト４６、二次転写ローラー４７、定着装置４８、及び排紙トレイ４９を備える。画像形成ユニット４１はＣ（シアン）、画像形成ユニット４２はＭ（マゼンタ）、画像形成ユニット４３はＹ（イエロー）、画像形成ユニット４４はＫ（ブラック）に対応している。画像形成ユニット４１〜４４は、電子写真方式に基づいて画像を形成する。画像形成ユニット４１〜４４各々は、感光体ドラム、帯電装置、現像装置、一次転写ローラー、及びクリーニング装置などを備える。
【００２５】
光走査装置４５は、画像データに基づくレーザー光を前記感光体ドラム各々に照射することにより前記感光体ドラム各々に画像データに基づく静電潜像を形成する。そして、前記現像装置により前記感光体ドラム各々で現像された各色のトナー像は、中間転写ベルト４６に中間転写された後、二次転写ローラー４７によって、シート搬送部５から供給されるシートに転写される。その後、トナー像が転写された前記シートは、定着装置４８によりトナー像が溶融定着されることでカラー画像が形成され、排紙トレイ４９に排出される。
【００２６】
シート搬送部５は、図１に示す給紙カセット５１又は手差しトレイ５２に載置される複数枚のシート各々を順次搬送する。
【００２７】
具体的に、シート搬送部５は、図１に示すように、給紙カセット５１、手差しトレイ５２、第１搬送路５３、第２搬送路５４、及び切替部材５５を備える。給紙カセット５１及び手差しトレイ５２にはシートが載置される。ここに、給紙カセット５１及び手差しトレイ５２が、本発明における複数のシート載置部の一例である。なお、以下の説明においては、給紙カセット５１及び手差しトレイ５２を総称して、シート載置部と呼称する場合がある。
【００２８】
第１搬送路５３は、画像処理装置１０の筐体内に設けられた一対の搬送ガイド部材により形成されており、給紙カセット５１及び手差しトレイ５２と排紙トレイ４９とを接続する。第１搬送路５３には、ピックアップローラー、レジストローラー、排出ローラー５３Ａを含む複数のローラーが設けられる。シート搬送部５では、不図示のモーターから伝達される駆動力で複数の前記ローラーが回転することで、給紙カセット５１又は手差しトレイ５２に載置されるシートが排紙トレイ４９まで搬送される。
【００２９】
第２搬送路５４は、画像処理装置１０の筐体内に設けられた一対の搬送ガイド部材により形成されており、第１搬送路５３における定着装置４８の下流側に位置する第１合流部５４Ａと第１搬送路５３における前記レジストローラーの上流側に位置する第２合流部５４Ｂとを接続する。第２搬送路５４には、シートを搬送する複数のローラーが設けられる。切替部材５５は、第１合流部５４Ａに設けられ、第１合流部５４Ａの状態を第１搬送路５３が開放されると共に第２搬送路５４が閉鎖される第１状態と第１搬送路５３が閉鎖されると共に第２搬送路５４が開放される第２状態との間で切り替え可能である。
【００３０】
画像処理装置１０において、画像形成部４は、シート搬送部５により搬送されるシートの両面各々に画像を形成することが可能である。具体的に、制御部６は、シートの両面に印刷が行われる場合、画像形成部４により第１面に画像が形成されたシートの後端が第１合流部５４Ａを通過したタイミングで、切替部材５５を動作させて第１合流部５４Ａの状態を前記第１状態から前記第２状態に切り替える。一方、制御部６は、切替部材５５が動作して第２搬送路５４が開放された後に、排出ローラー５３Ａを逆回転させる。これにより、第２搬送路５４及び第２合流部５４Ｂを経由して、第１面と第２面とが逆転した状態のシートが再度第１搬送路５３に送出される。
【００３１】
制御部６は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。制御部６では、前記ＣＰＵにより前記ＲＯＭに予め記憶された各種の制御プログラムが実行される。これにより、画像処理装置１０が制御部６により統括的に制御される。なお、制御部６は、集積回路（ＡＳＩＣ）などの電子回路で構成されたものであってもよく、画像処理装置１０を統括的に制御するメイン制御部とは別に設けられた制御部であってもよい。
【００３２】
操作表示部７は、制御部６からの制御指示に応じて各種の情報を表示する液晶ディスプレーなどの表示部、及びユーザーの操作に応じて制御部６に各種の情報を入力する操作キー又はタッチパネルなどの操作部を有する。ここに、操作表示部７が、本発明における表示部の一例である。
【００３３】
記憶部８は、ＳＳＤ（ソリッドステートドライブ）又はＨＤＤ（ハードディスクドライブ）などの記憶装置である。記憶部８には、第１画像読取部２又は第２画像読取部３で読み取られた画像データなどが記憶される。
【００３４】
ところで、画像処理装置１０では、複数枚の原稿Ｐのページ各々をシートに印刷することが可能である。具体的に、画像処理装置１０では、ＡＤＦ１により複数枚の原稿Ｐ各々が順次搬送される。ＡＤＦ１により搬送される原稿Ｐからは、画像データが読み取られる。そして、読み取られた原稿Ｐの画像データがシートに印刷される。
【００３５】
ここで、ユーザーにより指定されたページで複数枚の原稿Ｐのページ各々を区分して印刷することが可能な画像処理装置が知られている。例えば、この種の画像処理装置では、ユーザーにより指定されたページの前で、色や形状が通常のシートと異なる合紙（インターシート）が挿入されて複数枚の原稿Ｐのページ各々が印刷される。これにより、ユーザーは、例えば文書原稿に含まれる章各々を区分して印刷することが可能である。ここで、複数枚の原稿Ｐの中に挿入された白紙原稿を検出して、前記白紙原稿の次のページで複数枚の原稿Ｐのページ各々を区分して出力可能な関連技術が知られている。前記関連技術によれば、操作部においてページの指定操作が行われる構成と比較して、ユーザーによるページの指定操作の手間が軽減される。
【００３６】
しかしながら、前記関連技術では、複数枚の原稿Ｐの両面から画像データが読み取られる場合に原稿Ｐの表裏いずれか一方のページしか指定することができない。これに対し、本発明に係る画像処理装置１０では、以下に説明するように、ユーザーによるページの指定操作の手間を軽減しつつ、原稿Ｐの表裏両方のページを指定することが可能である。
【００３７】
具体的に、制御部６の前記ＲＯＭには、制御部６の前記ＣＰＵに後述の第１出力処理（図５のフローチャート参照）を実行させるための第１出力プログラムが予め記憶されている。なお、前記第１出力プログラムは、ＣＤ、ＤＶＤ、フラッシュメモリーなどのコンピューター読み取り可能な記憶媒体に記憶されており、前記記憶媒体から記憶部８などにインストールされてもよい。
【００３８】
そして、制御部６は、図３に示すように、読取処理部６１、サイズ検出部６２、マーク検出部６３、設定処理部６４、操作受付部６５、変更処理部６６、除去処理部６７、出力処理部６８、及び区分処理部６９を含む。具体的に、制御部６の前記ＣＰＵは、前記ＲＯＭに記憶された前記第１出力プログラムを実行する。これにより、制御部６は、読取処理部６１、サイズ検出部６２、マーク検出部６３、設定処理部６４、操作受付部６５、変更処理部６６、除去処理部６７、出力処理部６８、及び区分処理部６９として機能する。
【００３９】
読取処理部６１は、原稿載置部１１に載置される複数枚の原稿Ｐ各々の両面から画像データを読み取る。具体的に、読取処理部６１は、ＡＤＦ１を制御して、原稿載置部１１に載置される複数枚の原稿Ｐ各々を順次搬送する。また、読取処理部６１は、第１画像読取部２を制御して、ＡＤＦ１により搬送される原稿Ｐの表面から画像データを読み取る。また、読取処理部６１は、第２画像読取部３を制御して、ＡＤＦ１により搬送される原稿Ｐの裏面から画像データを読み取る。
【００４０】
読取処理部６１は、複数の原稿Ｐから読み取られた各面の画像データ各々を前記ＲＡＭに格納する。例えば、読取処理部６１は、各面の画像データ各々を、ＡＤＦ１による原稿Ｐの搬送順序に従って、表面及び裏面の順に前記ＲＡＭに格納する。なお、読取処理部６１は、各面の画像データ各々に対して、ＡＤＦ１による搬送順序を示す情報及び表面であるか裏面であるかを示す情報を付加して前記ＲＡＭに格納してもよい。
【００４１】
サイズ検出部６２は、読取処理部６１により読み取られる原稿Ｐのサイズを検出する。例えば、サイズ検出部６２は、読取処理部６１によって読み取られた原稿Ｐの両面各々の画像データの、搬送方向１１Ａに直交する幅方向１１Ｂ（図４参照）における長さに基づいて、原稿Ｐのサイズを検出する。
【００４２】
なお、サイズ検出部６２は、原稿Ｐの両面各々の画像データの幅方向１１Ｂにおける長さから特定される原稿Ｐのサイズが複数存在する場合には、原稿Ｐの両面各々の画像データの搬送方向１１Ａにおける長さも考慮して原稿Ｐのサイズを検出してもよい。また、サイズ検出部６２は、原稿載置部１１に設けられたセンサーを用いて、原稿載置部１１に載置される原稿Ｐのサイズを読取処理部６１による画像データの読み取り前に予め検出してもよい。
【００４３】
マーク検出部６３は、読取処理部６１によって読み取られた原稿Ｐの両面各々の画像データに基づいて、原稿Ｐにおける予め定められたマークの有無及び前記マークの位置を検出する。例えば、前記マークは、原稿ＰにおけるＡＤＦ１による搬送方向１１Ａの後端部において前記後端部から突出して貼付された付箋Ｔを含む。なお、前記マークは、原稿Ｐに記入された予め定められた図形又は記号等であってもよい。
【００４４】
ここで、ＡＤＦ１の原稿載置部１１に載置される、表面に付箋Ｔが貼付された原稿Ｐの一例を図４に示す。なお、図４では、長手方向を搬送方向１１Ａに直交させて原稿載置部１１に載置された原稿Ｐが示されている。また、図４において、原稿ＰにおけるＡＤＦ１による搬送方向１１Ａの後端部には、付箋Ｔが前記後端部から突出して貼付されている。
【００４５】
例えば、マーク検出部６３は、読取処理部６１により読み取られた原稿Ｐの表面の画像データにおいてサイズ検出部６２で検出されたサイズから逸脱する逸脱領域の有無及び前記逸脱領域の位置に基づいて、原稿Ｐに貼付された付箋Ｔの有無及び付箋Ｔの位置を検出する。
【００４６】
設定処理部６４は、マーク検出部６３により検出された前記マークの位置に応じて、前記マークが付された原稿Ｐの表面及び裏面のいずれか一方の面の画像データを基準データとして設定する。例えば、設定処理部６４は、前記ＲＡＭに格納されている前記マークが付された原稿Ｐの表面及び裏面のいずれか一方の面の画像データに前記基準データであることを示す基準データ情報を付加することで、前記基準データを設定する。
【００４７】
具体的に、設定処理部６４は、原稿Ｐの表面における前記マークの位置に応じて、前記基準データを設定する。例えば、設定処理部６４は、図４に示す原稿Ｐにおいて、搬送方向１１Ａ後端部の幅方向１１Ｂにおける領域Ａ１内に付箋Ｔが貼付されている場合に、原稿Ｐの表面の画像データを前記基準データとして設定する。また、設定処理部６４は、図４に示す原稿Ｐにおいて、搬送方向１１Ａ後端部の幅方向１１Ｂにおける領域Ａ２内に付箋Ｔが貼付されている場合に、原稿Ｐの裏面の画像データを前記基準データとして設定する。なお、設定処理部６４は、前記マークが付された原稿Ｐの両面の画像データのうち、前記マークが付された面の画像データを前記基準データとして設定してもよい。
【００４８】
操作受付部６５は、前記基準データに基づく画像を操作表示部７に表示させて、前記基準データの設定変更操作を受け付ける。例えば、操作受付部６５は、前記ＲＡＭに格納されている一又は複数の前記基準データ各々のサムネイル画像を含む前記設定操作を行うための設定操作画面を操作表示部７に表示させて、前記設定変更操作を受け付ける。なお、操作受付部６５は、前記基準データに基づく画像を操作表示部７に表示させると共に、前記基準データに基づく画像を画像形成部４又は外部の画像形成装置に印刷させてもよい。
【００４９】
変更処理部６６は、前記設定変更操作に応じて前記基準データを変更する。例えば、変更処理部６６は、前記ＲＡＭに格納されている画像データ各々に対して前記基準データ情報を付加、又は削除することで、前記基準データを変更する。
【００５０】
除去処理部６７は、前記マークが付された原稿Ｐの画像データに含まれる前記マークの画像を除去する。例えば、除去処理部６７は、原稿Ｐの画像データに基づいて原稿Ｐの下地色を検出して、検出された下地色で前記マークの画像を塗りつぶすことで前記マークの画像を除去する。
【００５１】
出力処理部６８は、読取処理部６１により読み取られる複数枚の原稿Ｐ各々の両面の画像データを、読取処理部６１による読取順に従って表面及び裏面の順に出力する。例えば、出力処理部６８は、画像形成部４を用いて複数枚の原稿Ｐの面ごとの画像データ各々を、読取処理部６１による読取順に従い、かつ原稿Ｐの表面の画像データをシートの第１面に、原稿Ｐの裏面の画像データをシートの第２面に、各々印刷して出力する。
【００５２】
具体的に、出力処理部６８は、シート搬送部５を制御して、ユーザー操作等により予め選択されたいずれかの前記シート載置部からシートを順次搬送する。また、出力処理部６８は、画像形成部４を制御して、シート搬送部５により順次搬送されるシートの両面に、前記ＲＡＭに格納された複数枚の原稿Ｐの面ごとの画像データ各々を読取処理部６１による前記ＲＡＭへの格納順に従って印刷する。
【００５３】
なお、出力処理部６８は、複数枚の原稿Ｐの面ごとの画像データ各々を記憶部８に格納して出力してもよい。また、出力処理部６８は、複数枚の原稿Ｐの面ごとの画像データ各々を外部の情報処理装置に送信して出力してもよい。
【００５４】
区分処理部６９は、出力処理部６８により出力される複数枚の原稿Ｐの面ごとの画像データ各々を、出力処理部６８による出力順における前記基準データの前後いずれかで区分する。
【００５５】
具体的に、区分処理部６９は、出力処理部６８による前記基準データの印刷面がシートの第２面である場合に、前記基準データの印刷面を次のシートの第１面に設定する第１処理を実行する。例えば、区分処理部６９は、複数枚の原稿Ｐの面ごとの画像データ各々の前記ＲＡＭへの格納順に基づいて、前記基準データの印刷面がシートの第２面であるか否かを判断する。そして、区分処理部６９は、前記基準データの印刷面がシートの第２面である場合に、前記基準データとその前に印刷される画像データとの間に１面分の白紙の画像データを挿入して前記基準データの印刷順序をずらすことで、前記第１処理を実行する。
【００５６】
また、区分処理部６９は、前記マークが付された原稿Ｐにおける前記マークの色及び数のいずれか一方又は両方の組み合わせに応じて、出力処理部６８により前記基準データが印刷されるシートと前記基準データの前後いずれかの画像データが印刷される前記シートとの間に予め設定された前記シート載置部から搬送されるシートを挿入する第２処理、及び前記基準データが印刷されるシートを予め設定された前記シート載置部から搬送されるシートに設定する第３処理のいずれか一方又は両方を前記第１処理と共に実行する。
【００５７】
例えば、区分処理部６９は、原稿Ｐに貼付された付箋Ｔの色が予め定められた第１色である場合に、前記第１処理と共に前記第２処理を実行する。また、区分処理部６９は、原稿Ｐに貼付された付箋Ｔの色が予め定められた第２色である場合に、前記第１処理と共に前記第３処理を実行する。また、区分処理部６９は、原稿Ｐに貼付された付箋Ｔの色が予め定められた第３色である場合に、前記第１処理のみを実行する。
【００５８】
例えば、区分処理部６９は、前記ＲＡＭに順序付けられて格納されている前記基準データの前に、２面分の白紙の画像データを挿入する。そして、区分処理部６９は、挿入される前記白紙の画像データ各々に、予め設定された前記シート載置部から搬送されるシートに前記白紙の画像データ各々を印刷する旨の設定情報を付加することで、前記第２処理を実行する。
【００５９】
また、区分処理部６９は、前記ＲＡＭに格納されている前記基準データに、予め設定された前記シート載置部から搬送されるシートに前記基準データを印刷する旨の前記設定情報を付加することで、前記第３処理を実行する。
【００６０】
［第１出力処理］
以下、図５を参照しつつ、画像処理装置１０において制御部６により実行される第１出力処理の手順の一例と共に、本発明の画像処理方法について説明する。ここで、ステップＳ１１、Ｓ１２・・・は、制御部６により実行される処理手順（ステップ）の番号を表している。なお、制御部６は、操作表示部７に対するユーザー操作により、前記第１処理の実行を伴う印刷処理の実行指示が入力された場合に、前記第１出力処理を実行する。
【００６１】
＜ステップＳ１１＞
まず、ステップＳ１１において、制御部６は、原稿載置部１１に載置されている複数枚の原稿Ｐ各々の両面から画像データを読み取る。そして、制御部６は、複数枚の原稿Ｐから読み取られた各面の画像データ各々を、ＡＤＦ１による原稿Ｐの搬送順序に従って、表面及び裏面の順に前記ＲＡＭに格納する。
【００６２】
具体的に、制御部６は、ＡＤＦ１を制御して、原稿載置部１１に載置されている複数枚の原稿Ｐ各々を順次搬送する。ここに、ステップＳ１１における原稿載置部１１に載置されている複数枚の原稿Ｐ各々を順次搬送する処理が、本発明における第１ステップの一例であって、制御部６の読取処理部６１により実行される。
【００６３】
また、制御部６は、第１画像読取部２を制御して、ＡＤＦ１により搬送される原稿Ｐの表面から画像データを読み取る。また、制御部６は、第２画像読取部３を制御して、ＡＤＦ１により搬送される原稿Ｐの裏面から画像データを読み取る。ここに、ステップＳ１１におけるＡＤＦ１により搬送される原稿Ｐの両面各々から画像データを読み取る処理が、本発明における第２ステップの一例であって、制御部６の読取処理部６１により実行される。
【００６４】
＜ステップＳ１２＞
ステップＳ１２において、制御部６は、ステップＳ１１で読み取られる原稿Ｐのサイズを検出する。例えば、制御部６は、ステップＳ１１で読み取られた原稿Ｐの両面各々の画像データの幅方向１１Ｂにおける長さに基づいて、原稿Ｐのサイズを検出する。ここで、ステップＳ１２の処理は、制御部６のサイズ検出部６２により実行される。
【００６５】
＜ステップＳ１３＞
ステップＳ１３において、制御部６は、ステップＳ１１で読み取られた原稿Ｐの両面各々の画像データから前記マークが検出されたか否かを判断する。例えば、制御部６は、ステップＳ１１で読み取られた原稿Ｐの表面の画像データにおいてステップＳ１２で検出されたサイズから逸脱する逸脱領域の有無及び前記逸脱領域の位置に基づいて、原稿Ｐに貼付された付箋Ｔの有無及び付箋Ｔの位置を検出する。ここで、ステップＳ１３の処理は、制御部６のマーク検出部６３により実行される。
【００６６】
ここで、制御部６は、ステップＳ１１で読み取られた原稿Ｐの両面各々の画像データから前記マークが検出されたと判断すると（Ｓ１３のＹｅｓ側）、処理をステップＳ１４に移行させる。また、ステップＳ１１で読み取られた原稿Ｐの両面各々の画像データから前記マークが検出されていなければ（Ｓ１３のＮｏ側）、制御部６は、処理をステップＳ１５に移行させる。
【００６７】
＜ステップＳ１４＞
ステップＳ１４において、制御部６は、ステップＳ１３により検出された前記マークの位置に応じて、前記マークが付された原稿Ｐの表面及び裏面のいずれか一方の面の画像データを基準データとして設定する。例えば、制御部６は、前記ＲＡＭに格納されている画像データに前記基準データ情報を付加することで、前記基準データを設定する。ここで、ステップＳ１４の処理は、制御部６の設定処理部６４により実行される。
【００６８】
具体的に、制御部６は、原稿Ｐの表面における前記マークの位置に応じて、前記基準データを設定する。例えば、制御部６は、図４に示す原稿Ｐにおいて、搬送方向１１Ａ後端部の幅方向１１Ｂにおける領域Ａ１内に付箋Ｔが貼付されている場合に、原稿Ｐの表面の画像データを前記基準データとして設定する。また、制御部６は、図４に示す原稿Ｐにおいて、搬送方向１１Ａ後端部の幅方向１１Ｂにおける領域Ａ２内に付箋Ｔが貼付されている場合に、原稿Ｐの裏面の画像データを前記基準データとして設定する。
【００６９】
このように、前記第１出力処理では、原稿Ｐの表面における前記マークの位置に応じて前記基準データが設定される。そのため、前記マークが付された面の画像データを前記基準データとして設定する場合と比較して、原稿Ｐの裏面に前記マークを付するユーザーの手間が軽減される。
【００７０】
＜ステップＳ１５＞
ステップＳ１５において、制御部６は、ステップＳ１１での原稿載置部１１に載置されている複数枚の原稿Ｐ各々の両面からの画像データの読み取りが終了したか否かを判断する。例えば、制御部６は、原稿載置部１１に設けられた不図示の原稿検知センサーを用いて、原稿載置部１１に載置されている原稿Ｐの有無を検出することで、画像データの読み取りが終了したか否かを判断する。
【００７１】
ここで、制御部６は、画像データの読み取りが終了したと判断すると（Ｓ１５のＹｅｓ側）、処理をステップＳ１６に移行させる。また、画像データの読み取りが終了していなければ（Ｓ１５のＮｏ側）、制御部６は、処理をステップＳ１１に移行させる。
【００７２】
＜ステップＳ１６＞
ステップＳ１６において、制御部６は、ステップＳ１４で設定された前記基準データに基づく画像を操作表示部７に表示させて、前記基準データの設定変更操作を受け付ける。ここで、ステップＳ１５の処理は、制御部６の操作受付部６５により実行される。
【００７３】
例えば、制御部６は、前記ＲＡＭに格納されている一又は複数の前記基準データ各々のサムネイル画像を含む前記設定操作画面を操作表示部７に表示させて、前記設定変更操作を受け付ける。これにより、ユーザーは制御部６による前記基準データの設定が自らの意図に合致したものであるか否かを確認することが可能である。
【００７４】
なお、制御部６は、ステップＳ１６において、前記基準データに基づく画像を操作表示部７に表示させると共に、前記基準データに基づく画像を画像形成部４又は外部の画像形成装置に印刷させてもよい。この場合、ユーザーにおいて制御部６による前記基準データの設定が自らの意図に合致したものであるか否かの確認に掛かる時間を短縮させることが可能である。
【００７５】
＜ステップＳ１７＞
ステップＳ１７において、制御部６は、ステップＳ１６で表示された前記設定操作画面において前記設定変更操作が行われたか否かを判断する。
【００７６】
ここで、制御部６は、前記設定変更操作が行われたと判断すると（Ｓ１７のＹｅｓ側）、処理をステップＳ１８に移行させる。また、前記設定変更操作が行われていなければ（Ｓ１７のＮｏ側）、制御部６は、処理をステップＳ１９に移行させる。
【００７７】
＜ステップＳ１８＞
ステップＳ１８において、制御部６は、前記設定操作画面において行われた前記設定変更操作に応じて、前記基準データを変更する。例えば、制御部６は、前記ＲＡＭに格納されている画像データ各々に対して前記基準データ情報を付加、又は削除することで、前記基準データを変更する。ここで、ステップＳ１８の処理は、制御部６の変更処理部６６により実行される。
【００７８】
＜ステップＳ１９＞
ステップＳ１９において、制御部６は、操作表示部７におけるユーザー操作により、ステップＳ１１で読み取られた画像データ各々の出力指示が入力されたか否かを判断する。
【００７９】
ここで、制御部６は、前記出力指示が入力されたと判断すると（Ｓ１９のＹｅｓ側）、処理をステップＳ２０に移行させる。また、前記出力指示が入力されていなければ（Ｓ１９のＮｏ側）、制御部６は、処理をステップＳ１７に移行させる。
【００８０】
＜ステップＳ２０＞
ステップＳ２０において、制御部６は、前記マークが付された原稿Ｐの画像データに含まれる前記マークの画像を除去する。例えば、制御部６は、原稿Ｐの画像データに基づいて原稿Ｐの下地色を検出して、検出された下地色で前記マークの画像を塗りつぶすことで前記マークの画像を除去する。ここで、ステップＳ２０の処理は、制御部６の除去処理部６７により実行される。これにより、不要な前記マークの画像を含む画像データが出力されることが回避される。
【００８１】
＜ステップＳ２１＞
ステップＳ２１において、制御部６は、ステップＳ１１での読取順に前記ＲＡＭに格納された複数枚の原稿Ｐの面ごとの画像データ各々を、前記読取順における前記基準データの前後いずれかで区分する。ここで、ステップＳ２１の処理は、制御部６の区分処理部６９により実行される。
【００８２】
例えば、制御部６は、ステップＳ１３で検出された付箋Ｔの色が前記第１色である場合に、前記第１処理と共に前記２処理を実行する。また、制御部６は、ステップＳ１３で検出された付箋Ｔの色が前記第２色である場合に、前記第１処理と共に前記３処理を実行する。また、制御部６は、ステップＳ１３で検出された付箋Ｔの色が前記第３色である場合に、前記第１処理のみを実行する。これにより、前記基準データに基づく処理内容を指示するユーザー操作の手間を軽減することが可能である。
【００８３】
具体的に、制御部６は、複数枚の原稿Ｐの面ごとの画像データ各々の前記ＲＡＭへの格納順に基づいて、前記基準データの印刷面がシートの第２面であるか否かを判断する。そして、制御部６は、前記基準データの印刷面がシートの第２面である場合に、前記基準データとその前に印刷される画像データとの間に１面分の白紙の画像データを挿入して前記基準データの印刷順序をずらすことで、前記第１処理を実行する。これにより、文書原稿が印刷される場合において、章の変わり目のページを常にシートの第１面に印刷することが可能である。
【００８４】
また、制御部６は、ステップＳ１１により前記ＲＡＭに順序付けられて格納されている前記基準データの前に、２面分の白紙の画像データを挿入する。そして、制御部６は、挿入される前記白紙の画像データ各々に前記設定情報を付加することで、前記第２処理を実行する。これにより、文書原稿が印刷される場合において、章の変わり目のページの前に合紙（インターシート）を挿入することが可能である。
【００８５】
また、制御部６は、前記ＲＡＭに格納されている前記基準データに前記設定情報を付加することで、前記第３処理を実行する。これにより、文書原稿が印刷される場合において、章の変わり目のページを合紙に印刷することが可能である。
【００８６】
＜ステップＳ２２＞
ステップＳ２２において、制御部６は、ステップＳ１１で読み取られる複数枚の原稿Ｐ各々の両面の画像データを、ステップＳ１１での読取順に従って表面及び裏面の順に出力する。ここで、ステップＳ２２の処理は、制御部６の出力処理部６８により実行される。
【００８７】
例えば、制御部６は、画像形成部４を用いて複数枚の原稿Ｐの面ごとの画像データ各々を、ステップＳ１１での読取順に従い、かつ原稿Ｐの表面の画像データをシートの第１面に、原稿Ｐの裏面の画像データをシートの第２面に、各々印刷して出力する。
【００８８】
具体的に、制御部６は、シート搬送部５を制御して、ユーザー操作等により予め選択されたいずれかの前記シート載置部からシートを順次搬送する。また、制御部６は、画像形成部４を制御して、シート搬送部５により順次搬送されるシートの両面に、前記ＲＡＭに格納された複数枚の原稿Ｐの面ごとの画像データ各々をステップＳ１１による前記ＲＡＭへの格納順に従って印刷する。なお、制御部６は、画像データに前記設定情報が付加されている場合には、予め設定された前記シート載置部からシートを搬送して、前記設定情報が付加された画像データを印刷する。
【００８９】
このように、前記第１出力処理では、原稿Ｐの両面から読み取られた画像データに基づいて原稿Ｐにおける前記マークの有無及び前記マークの位置が検出され、検出された前記マークの位置に応じて原稿Ｐの表面又は裏面の画像データが前記基準データに設定される。従って、ユーザーによるページの指定操作の手間を軽減しつつ、原稿Ｐの表裏両方のページを指定することが可能である。
【００９０】
また、前記第１出力処理では、原稿Ｐにおける搬送方向１１Ａの後端部において前記後端部から突出して貼付された付箋Ｔが前記マークとして検出される。これにより、ユーザーは原稿Ｐを傷つけることなく前記マークを付することが可能であると共に、ページ指定のために原稿Ｐに付した前記マークを原稿Ｐの印刷の後に容易に除去することが可能である。なお、前記第１出力処理が実行される画像処理装置１０では、ＡＤＦ１により搬送される原稿Ｐの表面が第１画像読取部２の第１撮像素子２６に、裏面が第２画像読取部３の第２撮像素子３１によって読み取られる。従って、搬送路１２内においてスイッチバックされた原稿Ｐの裏面を第１画像読取部２が読み取る構成と比較して、原稿Ｐに貼付した付箋ＴがＡＤＦ１による搬送途中に外れて搬送路１２内に残留することがない。
【００９１】
［第２実施形態］
以下、図６及び図７を参照しつつ、本発明の第２実施形態について説明する。前記第２実施形態では、前記第１実施形態の画像形成装置１０における制御部６の構成が一部変更されている。なお、その他の部分の構成は、前記第２実施形態と前記第１実施形態とで共通である。そのため、以下の説明においては、前記第２実施形態のうち、前記第１実施形態と共通する構成については前記第１実施形態の構成と同じ符号を付し示すことによりその詳細な説明を省略する。
【００９２】
具体的に、制御部６の前記ＲＯＭには、制御部６の前記ＣＰＵに後述の第２出力処理（図７のフローチャート参照）を実行させるための第２出力プログラムが予め記憶されている。なお、前記第２出力プログラムは、ＣＤ、ＤＶＤ、フラッシュメモリーなどのコンピューター読み取り可能な記憶媒体に記憶されており、前記記憶媒体から記憶部８などにインストールされてもよい。
【００９３】
そして、制御部６は、図６に示すように、読取処理部６１、判断処理部７０、設定処理部６４Ａ、操作受付部６５、変更処理部６６、出力処理部６８Ａ、及び区分処理部６９Ａを含む。具体的に、制御部６の前記ＣＰＵは、前記ＲＯＭに記憶された前記第２出力プログラムを実行する。これにより、制御部６は、読取処理部６１、判断処理部７０、設定処理部６４Ａ、操作受付部６５、変更処理部６６、出力処理部６８Ａ、及び区分処理部６９Ａとして機能する。なお、読取処理部６１、操作受付部６５、及び変更処理部６６の機能は、前記第１実施形態と同様であるため、その説明を省略する。
【００９４】
判断処理部７０は、読取処理部６１によって読み取られた原稿Ｐの両面各々の画像データに基づいて、原稿Ｐが予め定められた特徴を有するか否かを判断する。例えば、前記特徴は、原稿Ｐの両面が無地であることを含む。なお、前記特徴は、予め定められた画像を含むことであってもよい。
【００９５】
設定処理部６４Ａは、判断処理部７０により前記特徴を有すると判断された原稿Ｐの連続搬送枚数、サイズ、及び色のいずれかに応じて、前記特徴を有する原稿Ｐの前又は後にＡＤＦ１により搬送される原稿Ｐの表面及び裏面のいずれか一方の面の画像データを基準データとして設定する。例えば、設定処理部６４Ａは、前記ＲＡＭに格納されている前記特徴を有する原稿Ｐの前又は後にＡＤＦ１により搬送されて画像データが読み取られた原稿Ｐの表面及び裏面のいずれか一方の面の画像データに前記基準データ情報を付加することで、前記基準データを設定する。
【００９６】
例えば、設定処理部６４Ａは、前記特徴を有する原稿Ｐの連続搬送枚数が１枚である場合に、前記特徴を有する原稿Ｐの前にＡＤＦ１により搬送されて画像データが読み取られた原稿Ｐの裏面の画像データを前記基準データに設定する。また、設定処理部６４Ａは、前記特徴を有する原稿Ｐの連続搬送枚数が２枚である場合に、前記特徴を有する原稿Ｐの後にＡＤＦ１により搬送されて画像データが読み取られた原稿Ｐの表面の画像データを前記基準データに設定する。
【００９７】
出力処理部６８Ａは、読取処理部６１により読み取られる複数枚の原稿Ｐ各々の両面の画像データを、読取処理部６１による読取順に従って表面及び裏面の順に出力する。例えば、出力処理部６８Ａは、画像形成部４を用いて複数枚の原稿Ｐの面ごとの画像データ各々を、読取処理部６１よる読取順に従い、かつ原稿Ｐの表面の画像データをシートの第１面に、原稿Ｐの裏面の画像データをシートの第２面に、各々印刷して出力する。
【００９８】
具体的に、出力処理部６８Ａは、シート搬送部５を制御して、ユーザー操作等により予め選択されたいずれかの前記シート載置部からシートを順次搬送する。また、出力処理部６８Ａは、画像形成部４を制御して、シート搬送部５により順次搬送されるシートの両面に、前記ＲＡＭに格納された複数枚の原稿Ｐの面ごとの画像データ各々を読取処理部６１による前記ＲＡＭへの格納順に従って印刷する。
【００９９】
ここで、出力処理部６８Ａは、前記特徴を有する原稿Ｐの両面各々の画像データを除外して、複数枚の原稿Ｐの面ごとの画像データ各々を出力する。
【０１００】
なお、出力処理部６８Ａは、複数枚の原稿Ｐの面ごとの画像データ各々を記憶部８に格納して出力してもよい。また、出力処理部６８Ａは、複数枚の原稿Ｐの面ごとの画像データ各々を外部の情報処理装置に送信して出力してもよい。
【０１０１】
区分処理部６９Ａは、出力処理部６８Ａにより出力される複数枚の原稿Ｐの面ごとの画像データ各々を、出力処理部６８Ａによる出力順における前記基準データの前後いずれかで区分する。
【０１０２】
具体的に、区分処理部６９Ａは、出力処理部６８Ａによる前記基準データの印刷面がシートの第２面である場合に前記第１処理を実行する。
【０１０３】
また、区分処理部６９Ａは、前記特徴を有すると判断された原稿Ｐの連続搬送枚数、サイズ、及び色のいずれか又は複数の組み合わせに応じて、前記第２処理及び前記第３処理のいずれか一方又は両方を前記第１処理と共に実行する。
【０１０４】
例えば、区分処理部６９Ａは、前記特徴を有すると判断された原稿Ｐの色が前記第１色である場合に、前記第１処理と共に前記第２処理を実行する。また、区分処理部６９Ａは、前記特徴を有すると判断された原稿Ｐの色が前記第２色である場合に、前記第１処理と共に前記第３処理を実行する。また、区分処理部６９Ａは、前記特徴を有すると判断された原稿Ｐの色が前記第３色である場合に、前記第１処理のみを実行する。
【０１０５】
［第２出力処理］
以下、図７を参照しつつ、前記第２実施形態における画像処理装置１０の制御部６により実行される第２出力処理の手順の一例と共に、本発明の画像処理方法について説明する。なお、制御部６は、操作表示部７に対するユーザー操作により、前記第１処理の実行を伴う印刷処理の実行指示が入力された場合に、前記第２出力処理を実行する。また、前記第２出力処理におけるステップＳ３１、及びステップＳ３４〜ステップＳ３８の処理は、前記第１出力処理におけるステップＳ１１、及びステップＳ１５〜ステップＳ１９における処理と同様であるため、その説明を省略する。
【０１０６】
＜ステップＳ３２＞
ステップＳ３２において、制御部６は、ステップＳ３１で読み取られた原稿Ｐの両面各々の画像データに基づいて、原稿Ｐが前記特徴を有するか否かを判断する。ここに、ステップＳ３２の処理が、本発明における第３ステップの一例であって、制御部６の判断処理部７０により実行される。
【０１０７】
ここで、制御部６は、ステップＳ３１で読み取られた原稿Ｐが前記特徴を有すると判断すると（Ｓ３２のＹｅｓ側）、処理をステップＳ３３に移行させる。また、ステップＳ３１で読み取られた原稿Ｐが前記特徴を有しなければ（Ｓ３２のＮｏ側）、制御部６は、処理をステップＳ３４に移行させる。
【０１０８】
＜ステップＳ３３＞
ステップＳ３３において、制御部６は、ステップＳ３２で前記特徴を有すると判断された原稿Ｐの連続搬送枚数、サイズ、及び色のいずれかに応じて、前記特徴を有する原稿Ｐの前又は後にＡＤＦ１により搬送される原稿Ｐの表面及び裏面のいずれか一方の面の画像データを基準データとして設定する。ここに、ステップＳ３３の処理が、本発明における第４ステップの一例であって、制御部６の設定処理部６４Ａにより実行される。
【０１０９】
例えば、制御部６は、前記ＲＡＭに格納されている前記特徴を有する原稿Ｐの前又は後にＡＤＦ１により搬送されて画像データが読み取られた原稿Ｐの表面及び裏面のいずれか一方の面の画像データに前記基準データ情報を付加することで、前記基準データを設定する。
【０１１０】
例えば、制御部６は、前記特徴を有する原稿Ｐの連続搬送枚数が１枚である場合に、前記特徴を有する原稿Ｐの前にＡＤＦ１により搬送されて画像データが読み取られた原稿Ｐの裏面の画像データを前記基準データに設定する。また、制御部６は、前記特徴を有する原稿Ｐの連続搬送枚数が２枚である場合に、前記特徴を有する原稿Ｐの後にＡＤＦ１により搬送されて画像データが読み取られた原稿Ｐの表面の画像データを前記基準データに設定する。
【０１１１】
＜ステップＳ３９＞
ステップＳ３９において、制御部６は、前記ＲＡＭに格納されている前記特徴を有する原稿Ｐの両面各々の画像データを削除する。ここで、ステップＳ３９の処理は、制御部６の出力処理部６８Ａにより実行される。これにより、不要な前記特徴を有する原稿Ｐの画像データが出力されることが回避される。
【０１１２】
＜ステップＳ４０＞
ステップＳ４０において、制御部６は、ステップＳ３１での読取順に前記ＲＡＭに格納された複数枚の原稿Ｐの面ごとの画像データ各々を、前記読取順における前記基準データの前後いずれかで区分する。ここに、ステップＳ４０の処理が、本発明における第６ステップの一例であって、制御部６の区分処理部６９Ａにより実行される。
【０１１３】
例えば、制御部６は、ステップＳ３２で前記特徴を有すると判断された原稿Ｐの色が前記第１色である場合に、前記第１処理と共に前記２処理を実行する。また、制御部６は、ステップＳ３２で前記特徴を有すると判断された原稿Ｐの色が前記第２色である場合に、前記第１処理と共に前記３処理を実行する。また、制御部６は、ステップＳ３２で前記特徴を有すると判断された原稿Ｐの色が前記第３色である場合に、前記第１処理のみを実行する。これにより、前記基準データに基づく処理内容を指示するユーザー操作の手間を軽減することが可能である。
【０１１４】
具体的に、制御部６は、複数枚の原稿Ｐの面ごとの画像データ各々の前記ＲＡＭへの格納順に基づいて、前記基準データの印刷面がシートの第２面であるか否かを判断する。そして、制御部６は、前記基準データの印刷面がシートの第２面である場合に、前記基準データとその前に印刷される画像データとの間に１面分の白紙の画像データを挿入して前記基準データの印刷順序をずらすことで、前記第１処理を実行する。これにより、文書原稿が印刷される場合において、章の変わり目のページを常にシートの第１面に印刷することが可能である。
【０１１５】
また、制御部６は、ステップＳ３１により前記ＲＡＭに順序付けられて格納されている前記基準データの前に、２面分の白紙の画像データを挿入する。そして、制御部６は、挿入される前記白紙の画像データ各々に前記設定情報を付加することで、前記第２処理を実行する。これにより、文書原稿が印刷される場合において、章の変わり目のページの前に合紙（インターシート）を挿入することが可能である。
【０１１６】
また、制御部６は、前記ＲＡＭに格納されている前記基準データに前記設定情報を付加することで、前記第３処理を実行する。これにより、文書原稿が印刷される場合において、章の変わり目のページを合紙に印刷することが可能である。
【０１１７】
＜ステップＳ４１＞
ステップＳ４１において、制御部６は、ステップＳ３１で読み取られる複数枚の原稿Ｐ各々の両面の画像データを、ステップＳ３１での読取順に従って表面及び裏面の順に出力する。ここに、ステップＳ４１の処理が、本発明における第５ステップの一例であって、制御部６の出力処理部６８Ａにより実行される。
【０１１８】
例えば、制御部６は、画像形成部４を用いて複数枚の原稿Ｐの面ごとの画像データ各々を、ステップＳ３１での読取順に従い、かつ原稿Ｐの表面の画像データをシートの第１面に、原稿Ｐの裏面の画像データをシートの第２面に、各々印刷して出力する。
【０１１９】
具体的に、制御部６は、シート搬送部５を制御して、ユーザー操作等により予め選択されたいずれかの前記シート載置部からシートを順次搬送する。また、制御部６は、画像形成部４を制御して、シート搬送部５により順次搬送されるシートの両面に、前記ＲＡＭに格納された複数枚の原稿Ｐの面ごとの画像データ各々をステップＳ３１による前記ＲＡＭへの格納順に従って印刷する。なお、制御部６は、画像データに前記設定情報が付加されている場合には、予め設定された前記シート載置部からシートを搬送して、前記設定情報が付加された画像データを印刷する。
【０１２０】
このように、前記第２出力処理では、原稿Ｐの両面から読み取られた画像データに基づいて原稿Ｐが前記特徴を有するか否かが判断されて、前記特徴を有する原稿Ｐの連続搬送枚数に応じて、前記特徴を有する原稿Ｐの前又は後にＡＤＦ１により搬送されて画像データが読み取られた原稿Ｐの表面及び裏面のいずれか一方の面の画像データが前記基準データに設定される。従って、前記第１出力処理と同様に、ユーザーによるページの指定操作の手間を軽減しつつ、原稿Ｐの表裏両方のページを指定することが可能である。
【符号の説明】
【０１２１】
１  ：ＡＤＦ
２  ：第１画像読取部
３  ：第２画像読取部
４  ：画像形成部
５  ：シート搬送部
６  ：制御部
７  ：操作表示部
８  ：記憶部
１０：画像処理装置
６１：読取処理部
６２：サイズ検出部
６３：マーク検出部
６４、６４Ａ：設定処理部
６５：操作受付部
６６：変更処理部
６７：除去処理部
６８、６８Ａ：出力処理部
６９、６９Ａ：区分処理部
７０：判断処理部
【図１】
2016189552.tif 000003
【図２】
2016189552.tif 000004
【図３】
2016189552.tif 000005
【図４】
2016189552.tif 000006
【図５】
2016189552.tif 000007
【図６】
2016189552.tif 000008
【図７】
2016189552.tif 000009